(57)【特許請求の範囲】
【請求項１】
無線通信ネットワークにおけるコンテンションベース（ＣＢ）のアップリンク伝送方法であって、
前記無線通信ネットワークにおいて、ユーザー装置（以下、ＵＥと称す。）により、サービング基地局から、ＣＢ設定情報とアップリンクＣＢグラントを受信する工程と、
前記ＵＥにより、前記アップリンクＣＢグラントから、複数の送信機会を導き出し、応答して、前記送信機会の一つにより、アップリンクＣＢデータを伝送し、前記アップリンクの伝送の無線リソースは、前記アップリンクＣＢデータとＵＥ選択署名情報を運ぶ工程と、
前記サービング基地局から、肯定応答を受信する工程とを含み、
前記複数の送信機会は、複数の前記ＵＥに共有され、かつ、ＯＦＤＭネットワークにおいて、ＣＢ伝送に用いられる直交時間周波数無線リソース領域を含む
ことを特徴とする方法。
【請求項２】
ＯＦＤＭネットワークにおいて、前記ＵＥ署名情報は、パイロットトーンにより伝送され、前記ＵＥは、パイロットトーン伝送に、独立した副搬送波セットを利用することを特徴とする請求項１に記載の方法。
【請求項３】
ＯＦＤＭネットワークにおいて、前記ＵＥ署名情報は、パイロットトーンにより伝送され、前記ＵＥは、パイロットトーン伝送に、複数の直交符号シーケンスの一つを利用することを特徴とする請求項１に記載の方法。
【請求項４】
前記ＣＢ設定情報は、コードブックから選択される複数の前置符号器を含み、
前記ユーザー装置は、アップリンク伝送に、前記複数の前置符号器の一つを利用することを特徴とする請求項１に記載の方法。
【請求項５】
前記ＵＥは、予め定義された、又は、設定可能な変調および符号化方法を利用して、システムロバスト性を改善することを特徴とする請求項１に記載の方法。
【請求項６】
前記ＵＥは、開ループ電力制御を用いて、前記アップリンク伝送電力を決定することを特徴とする請求項１に記載の方法。
【請求項７】
前記ＵＥが、前記サービング基地局から否定応答を受信する場合、前記アップリンクＣＢデータを再伝送する工程をさらに含むことを特徴とする請求項１に記載の方法。
【請求項８】
アップリンクＣＢ伝送後、前記アップリンクＣＢデータは、前記媒体アクセス制御（ＭＡＣ）層により廃棄され、再伝送された前記アップリンクＣＢデータが無線リンク制御（ＲＬＣ）層から生成されることを特徴とする請求項７に記載の方法。
【請求項９】
前記アップリンクＣＢデータは、前記媒体アクセス制御（ＭＡＣ）層により保存され、
前記再伝送はＣＢグラント上でだけ実行されて、前記ＣＢデータを保存することを特徴とする請求項７に記載の方法。
【請求項１０】
無線通信ネットワークにおける、コンテンションベース（ＣＢ）のアップリンク伝送の方法であって、
前記無線通信ネットワークにおいて、サービング基地局により、ＣＢ設定情報とアップリンクＣＢグラントを、複数のユーザー装置に伝送する工程と、
前記複数のユーザー装置のうち少なくとも一つの前記ユーザー装置からアップリンクＣＢデータを受信し、前記アップリンクＣＢグラントから引き出された送信機会の一つにより、前記アップリンクＣＢデータを伝送する工程と、
肯定応答を、前記複数のユーザー装置に伝送する工程とを含み、
前記複数の送信機会は、複数の前記ＵＥに共有され、かつ、ＯＦＤＭネットワークにおいて、ＣＢ伝送に用いられる直交時間周波数無線リソース領域を含む
ことを特徴とする方法。
【請求項１１】
前記ＣＢ設定情報は、再伝送に用いられるＣＢ無線ネットワーク一時識別子（ＲＮＴＩ）、変調および符号化方法、ＣＢグループアイデンティティ、ＣＢリソース割り当て、及び、バックオフパラメータの少なくとも一つを含むことを特徴とする請求項１０に記載の方法。
【請求項１２】
前記ＣＢ設定情報は、ダウンリンク共有チャネルにより伝送され、
前記アップリンクＣＢグラントは、ダウンリンク制御チャネルにより伝送されることを特徴とする請求項１０に記載の方法。
【請求項１３】
前記アップリンクＣＢグラントはダウンリンク共有チャネルにより伝送され、
ＣＢ起動は、ダウンリンク制御チャネルにより伝送されることを特徴とする請求項１０に記載の方法。
【請求項１４】
前記ＣＢ設定情報とＣＢグラントが、ダウンリンク共有チャネルにより伝送され、
ＣＢ起動は、ダウンリンク制御チャネルにより伝送されることを特徴とする請求項１０に記載の方法。
【請求項１５】
前記サービング基地局は、存在する無線リソース制御（ＲＲＣ）パラメータに基づいて、前記複数のユーザー装置をグループ分けすることを特徴とする請求項１０に記載の方法。
【請求項１６】
前記サービング基地局は、放送、又は、専用の無線リソース制御（ＲＲＣ）シグナリングにより、プレコンフィグレーションに基づいて、明確に、前記複数のユーザー装置をグループ分けすることを特徴とする請求項１０に記載の方法。
【請求項１７】
前記肯定応答は、物理ハイブリッドＡＲＱインジケーターチャネル（ＰＨＩＣＨ）により伝送され、
前記ＰＨＩＣＨの位置情報が、ＵＥ署名情報から導き出されることを特徴とする請求項１０に記載の方法。
【請求項１８】
前記肯定応答は、パケットデータ制御チャネル（ＰＤＣＣＨ）、又は、媒体アクセス制御（ＭＡＣ）制御素子（ＣＥ）により伝送されることを特徴とする請求項１０に記載の方法。
【請求項１９】
前記サービング基地局は、複数の受信アンテナを用いて、前記アップリンクＣＢデータを受信することを特徴とする請求項１０に記載の方法。
【請求項２０】
ユーザー装置（以下、ＵＥと称す。）により、サービング基地局から、コンテンションベース（ＣＢ）の設定情報とアップリンクＣＢグラントを受信し、前記アップリンクＣＢグラントが、無線ＯＦＤＭＡネットワーク中のユーザー装置の群間で共有される複数のＣＢ送信機会を割り当てる工程と、
前記ＣＢ送信機会の一つにより、アップリンクＣＢデータを伝送し、前記アップリンクの伝送の無線リソースは、前記アップリンクＣＢデータとＵＥ署名情報を組み込んだプリアンブル両方を運ぶ工程とを含み、
前記複数のＣＢ送信機会は、複数の前記ＵＥに共有され、かつ、ＯＦＤＭネットワークにおいて、ＣＢ伝送に用いられる直交時間周波数無線リソース領域を含む
を含むことを特徴とする方法。
【請求項２１】
前記ＵＥ署名情報はパイロットトーンにより伝送され、
前記ＵＥは、パイロットトーン伝送に、共有しない副搬送波セットを用いることを特徴とする請求項２０に記載の方法。
【請求項２２】
前記ＵＥ署名情報はパイロットトーンにより伝送され、
前記ＵＥは、パイロットトーン伝送に、複数の直交符号シーケンスの一つを利用することを特徴とする請求項２０に記載の方法。
【発明の詳細な説明】
【技術分野】
【０００１】
本発明は、無線通信システムに関するものであり、特に、無線直交周波数分割多重（ＯＦＤＭ）システムにおけるコンテンションベース（ｃｏｎｔｅｎｔｉｏｎ−ｂａｓｅｄ）の伝送に関するものである。
【背景技術】
【０００２】
直交周波数分割多重（ＯＦＤＭ）や直交周波数分割多元接続（ＯＦＤＭＡ）無線システムのような無線システムでは、コンテンションベースのアップリンク伝送は、一般に、複数のユーザー装置（ＵＥ）に用いられ、共有アップリンクチャネルにより、アップリンクデータをサービング基地局（ｅＮＢ）に伝送する。例えば、ＵＥは、アップリンクアクセスチャネルの所有権にアクセスし、所有権を獲得することを要求して、アクセス要求工程、例えば、初期測距（ｉｎｉｔｉａｌ  ｒａｎｇｉｎｇ）、ハンドオーバー測距（ｈａｎｄｏｖｅｒ  ｒａｎｇｉｎｇ）、バンド幅要求（ｂａｎｄｗｉｄｔｈ  ｒｅｑｕｅｓｔ、ＢＷ−ＲＥＱ）測距、又は、ランダムアクセスプロシージャ（ｒａｎｄｏｍ  ａｃｃｅｓｓ  ｐｒｏｃｅｄｕｒｅ、ＲＡＣＨ）により、そのサービング基地局（ｅＮＢ）と、伝送を初期化する。通常、コンテンションベースのアクセス要求工程には、二個のフェーズ、第一のコンテンションリソリューションフェーズ（ｃｏｎｔｅｎｔｉｏｎ  ｒｅｓｏｌｕｔｉｏｎ  ｐｈａｓｅ）と第二リクエストネゴシエーションフェーズ（ｒｅｑｕｅｓｔ  ｎｅｇｏｔｉａｔｉｏｎ  ｐｈａｓｅ）がある。
【０００３】
図１は、ＩＥＥＥ８０２．１６ｅ無線システムに用いられる５ステップＢＷ−ＲＥＱ測距工程の順序表である。コンテンションリソリューションの第一フェーズ中、ＵＥは、共有チャネルにより、プリアンブル（例えば、ＢＷ−ＲＥＱ測距コード）を伝送し（ステップ１）、どのＵＥがＢＷ−ＲＥＱ測距コードを伝送するかを検出後、ｅＮＢが応答する（ステップ２）。リクエストネゴシエーションの第二フェーズ中、ＵＥは、バンド幅割り当てに用いるＢＷ−ＲＥＱメッセージを伝送し（ステップ３）、ＢＷ−ＲＥＱメッセージの正確な復号後、ｅＮＢはアップリンクリソースを承諾する（ステップ４）。両フェーズ中で、コンテンションとネゴシエーションが成功した後、ＵＥは、予定したアップリンク伝送を開始することができる（ステップ５）。よって、要求と承諾メカニズムは５ステップを必要とし、ＢＷ−ＲＥＱ測距工程を全て行うには、相当に時間がかかる。
【０００４】
図２は、ＩＥＥＥ８０２．１６ｍ無線システムに用いられる３ステップＢＷ−ＲＥＱ測距工程とフォールバック５ステップＢＷ−ＲＥＱ測距工程のメッセージの順序表である。図２の左側に示される３ステップＢＷ−ＲＥＱ測距工程において、ＵＥは、まず、組み込まれたＢＷ−ＲＥＱメッセージにより、ＢＷ−ＲＥＱ測距コードを伝送する（ステップ１）。ｅＮＢはＢＷ−ＲＥＱ測距コードを検出し、ＢＷ−ＲＥＱメッセージをデコードし、アップリンクリソースを承諾する（ステップ２）。ＵＬ承諾（グラント）の受信後、ＵＥは、予定されたアップリンクデータ伝送を開始する（ステップ３）。ＢＷ−ＲＥＱ測距コードとＢＷ−ＲＥＱメッセージを一緒に伝送することにより、ＢＷ−ＲＥＱ測距の時間（ｒａｎｇｉｎｇ  ｌａｔｅｎｃｙ）が短縮する。しかし、この３ステップＢＷ−ＲＥＱ測距工程は、予定されたアップリンクデータ伝送の前に、ＵＥに、測距コードと測距メッセージの伝送を必要とする。
【０００５】
更に、測距コリジョン（ｒａｎｇｉｎｇ  ｃｏｌｌｉｓｉｏｎ）発生時、３ステップＢＷ−ＲＥＱ測距工程は、５ステップＢＷ−ＲＥＱ測距工程に戻る。図２の右側に示されるように、ＵＥは、まず、組み込まれたＢＷ−ＲＥＱメッセージにより、ＢＷ−ＲＥＱ測距コードを伝送する（ステップ１）。複数のユーザー装置からの複数の測距伝送のため（即ち、複数のユーザー装置は、異なるＢＷ−ＲＥＱ測距コードと測距メッセージにより、バンド幅要求を同時に伝送する）、ｅＮＢにより、ＢＷ−ＲＥＱメッセージは、復号可能にならず、ＢＷ−ＲＥＱ測距コードが復号可能である（ステップ２）。これは、ＢＷ−ＲＥＱ測距設計中、通常は、ＢＷ−ＲＥＱ測距コードが、ＢＷ−ＲＥＱメッセージよりロバスト性が高いためである。その結果、ＵＥは、ＢＷ−ＲＥＱメッセージをｅＮＢに再伝送する（ステップ３）。ｅＮＢは、ＢＷ−ＲＥＱメッセージを適切に復号し、アップリンクリソースを承諾する（ステップ４）。最後に、ＵＥは、予定したアップリンクデータ伝送を開始することができる（ステップ５）。よって、フォールバック５ステップＢＷ−ＲＥＱ測距工程において、アクセス時間（ａｃｃｅｓｓ  ｌａｔｅｎｃｙ）が減少しない。
【発明の概要】
【発明が解決しようとする課題】
【０００６】
本発明は、コンテンションベースの伝送方法を提供する。
【課題を解決するための手段】
【０００７】
無線通信ネットワークにおけるコンテンションベースの（ＣＢ）アップリンク伝送方法が提供される。基地局（ｅＮＢ）は、まず、ＣＢ設定情報とＣＢグラントをユーザー装置（ＵＥ）に伝送する。ＵＥは、アップリンクＣＢグラントから、複数の送信機会（ｔｒａｎｓｍｉｓｓｉｏｎ  ｏｐｐｏｒｔｕｎｉｔｉｅｓ）を導き出し、送信機会の一つにより、アップリンクＣＢデータを伝送する。ＵＥは、その後、サービング基地局から、肯定応答（ａｃｋｎｏｗｌｅｄｇｍｅｎｔ）を受信する。複数のＵＥのコンテンションにより、アップリンクＣＢデータがｅＮＢにより復号できない場合、ＵＥは、否定応答（ｎｅｇａｔｉｖｅ  ａｃｋｎｏｗｌｅｄｇｍｅｎｔ）に応えて、アップリンクデータを再伝送する。本発明では、アップリンク伝送無線リソースは、アップリンクＣＢデータとＵＥ−選択署名情報（ＵＥ−ｓｅｌｅｃｔｅｄ  ｓｉｇｎａｔｕｒｅ  ｉｎｆｏｒｍａｔｉｏｎ）の両方を運ぶ。競合解除（コンテンション  リソリューション）の分離したフェーズを消去することにより、ＣＢ伝送の全部のレイテンシ（遅延時間）が減少し、伝送効率が改善する。
【０００８】
検出性能を改善するため、受信側で、ｅＮＢは、コンテンションＵＥ間で共有される複数の直交ＣＢの送信機会を割り当てる。ｅＮＢは、受信アンテナ数量を増加して、もっと多くの自由度（ｄｅｇｒｅｅｓ−ｏｆ−ｆｒｅｅｄｏｍ）をＣＢデータ検出のために提供する。ｅＮＢは、複数のＣＢ群を生成して、衝突頻度を減少させる。伝送側で、ＵＥは、ＵＥ−選択署名情報を運ぶパイロットトーンに用いる直交リソースのＦＤＭかＣＤＭを適用する。ＵＥは、適切なプレコーディングを選択して、空間ドメインダイバーシティ利得（ｓｐａｔｉａｌ  ｄｏｍａｉｎ  ｄｉｖｅｒｓｉｔｙ  ｇａｉｎ）を生成する。また、ＵＥは、最も保守的な変調および符号化方法（ＭＣＳ）を使用して、システムロバスト性を改善する。
【発明の効果】
【０００９】
本発明により、衝突頻度を減少させ、システムロバスト性を改善することができる。
【図面の簡単な説明】
【００１０】
【図１】５ステップＢＷ−ＲＥＱ測距工程の順序を説明するための図である。
【図２】３ステップＢＷ−ＲＥＱ測距工程とフォールバック５ステップＢＷ−ＲＥＱ測距工程の順序を説明するための図である。
【図３】無線通信ネットワークにおけるコンテンションベースのアップリンク伝送の方法を示す図である。
【図４】コンテンションベースのアップリンク伝送における、ＵＥとｅＮＢのブロック図である。
【図５】コンテンションベースのアップリンク伝送における、無線リソースブロック中に割り当てられるパイロットトーンとデータトーンを示す図である。
【図６】コンテンションベースのアップリンク伝送に用いられるＭＩＭＯプレコーディング／ビーム形成スキームを示す図である。
【図７】無線ネットワークにおいて、コンテンションベースのアップリンク伝送の順序表の一例を示す図である。
【図８】無線ネットワークにおいて、コンテンションベースのアップリンク伝送と再伝送の順序の一例を示す図である。
【図９】ＵＥとそのサービングｅＮＢ間のコンテンションベースのアップリンク伝送方法のフローチャートである。
【図１０】３ＧＰＰ  ＬＴＥ／ＬＴＥ−Ａ  システムにおいて、ＣＢメカニズムを応用したＣＢパケットフォーマットを示す図である。
【発明を実施するための形態】
【００１１】
図３は、無線直交周波数分割多元接続（ＯＦＤＭＡ）ネットワーク３０においてコンテンションベースのアップリンク伝送の方法を示す図である。無線ネットワーク３０は、複数のユーザー装置（例えば、ＵＥ３１を含む）とサービング基地局ｅＮＢ４１を含む。コンテンションベースの（ＣＢ）伝送を初期化するため、各ＵＥは、ＣＢ構成フェーズにより予め配置される必要がある。ＣＢ構成フェーズ期間中、ｅＮＢ４１は、ＣＢ設定情報を複数のＵＥｓに伝送する。さらに、ｅＮＢ４１は、アップリンクＣＢグラントをＵＥに伝送する。ＣＢ構成フェーズの後、割り当てられた送信機会により、ＵＥがアップリンクＣＢ伝送を開始する。ＣＢ伝送受信時、ｅＮＢ４１は各ＵＥのアップリンクデータを検出し、検出結果に基づいて、対応するＣＢ肯定応答を各ＵＥに送り戻す。
【００１２】
本発明では、アップリンクＣＢ伝送ステップの前、コンテンションベースのアップリンク伝送スキームは、ＵＥからｅＮＢへの分離したプリアンブル伝送ステップを除外する。従来のＣＢアップリンク伝送工程では、各ＵＥは、まず、プリアンブル（例えば、独自に、ＵＥを識別するコードシーケンス）をｅＮＢに伝送する必要があったため、ｅＮＢは、ＵＥを識別し、その後、そのコンテンション要求を承認することができた。しかし、新規のＣＢアップリンク伝送工程では、プリアンブルは、アップリンクデータ中、ｅＮＢに伝送される“ＵＥ−選択署名（ｓｅｌｅｃｔｅｄ  ｓｉｇｎａｔｕｒｅ）”である。分離したプリアンブル伝送ステップを除外することにより、ＣＢ伝送工程の全体レイテンシが減少する。ＣＢアップリンク伝送工程の一例として、各ＵＥは、アップリンクＣＢデータをＯＦＤＭ符号化して伝送し、ＵＥ−選択署名はパイロットトーン中に組み込まれ、ＣＢデータはデータトーンにより運ばれる。
【００１３】
コンテンションベースのアップリンク伝送の性質のため、複数のＵＥが、同時に、アップリンクデータをｅＮＢに伝送する可能性がある。コリジョンが発生する場合、競合解除機構が要求される。さらに、衝突したデータがｅＮＢにより、複合できない場合、再伝送制御が要求される。よって、新規のコンテンションベースのアップリンク伝送スキームを促進するため、ｅＮＢにより、検出性能を改善することが望まれ、伝送レイテンシが大幅に減少する。また、ＣＢ伝送プロトコルを増強し、避けられないデータ検出失敗を処理することが望まれ、よって、伝送効率全体が改善される。検出性能を改善し、ＣＢ伝送プロトコルを増強する異なる方法を以下で説明する。
【００１４】
ＣＢ伝送における検出性能の改善
図４は、コンテンションベースのアップリンク伝送に用いられる無線ＯＦＤＭＡネットワーク３０において、ＵＥ３１とｅＮＢ４１の簡潔なブロック図である。伝送側で、ＵＥ３１は、メモリ３２、プロセッサ３３、多入力多出力型（ＭＩＭＯ）エンコーダ３４、プレコーディング／ビーム形成モジュール３５、アンテナ３６に結合される第一伝送器＃１、及び、アンテナ３７に結合される第二伝送器＃２を含む。受信端で、ｅＮＢ４１は、メモリ４２、プロセッサ４３、ＭＩＭＯデコーダ４４、ビーム形成モジュール４５、アンテナ４６に結合される第一受信器＃１、アンテナ４７に結合される第二受信器＃２を含む。
【００１５】
アップリンクデータが複数のコンテンションＵＥから伝送され、ｅＮＢにより受信される時、優れた検出性能が伝送側と受信側から達成される。ＯＦＤＭＡシステムにおいて、データは割り当てられた無線リソースブロックにより伝送され、各リソースブロックは、パイロットトーンとデータトーンからなる。パイロットトーンは、ＵＥ−選択署名を運び、リソースブロックに周期的に挿入され、チャネル応答推定（ｃｈａｎｎｅｌ  ｒｅｓｐｏｎｓｅ  ｅｓｔｉｍａｔｉｏｎ）を促進して、データトーンの復号に用いる。よって、伝送器の視点から、パイロットトーン上の直交リソースの適切な分離により、各コンテンションＵＥの空間ドメイン署名が得られて、コンテンションを解決する。また、ＵＥプレコーディングは、付加ドメインを提供して、データ復号パフォーマンスを強化することができる。一方、ＣＢアップリンク送信機会（例えば、無線リソースブロック）は、ＣＢグラントにより、ｅＮＢにより割り当てられる。よって、受信器の視点から、異なる機会は互いに直交し、時間周波数ドメイン上で分離するので、さらに多くの承諾されたＣＢ送信機会は、可能な衝突頻度を減少させることができる。さらに、多くの受信アンテナは、更なる空間ドメインの自由度を提供し、干渉を緩和／軽減して、複数のコンテンションＵＥｓを検出する。
【００１６】
図４では、ｅＮＢ４１により承諾される複数のＣＢ送信機会４０は、ＵＥ３１を含むＵＥのグループ間で共有され、ＣＢアップリンク伝送に用いられる。ＵＥ３１は、１つのＣＢ送信機会（例えば、無線リソースブロック４８）を選択し、ＣＢアップリンクデータを伝送する。無線リソースブロック４８において、パイロットトーンが、チャネル推定のある位置（斜線で示される位置）に挿入されて、データトーン（例えば、白色で示される位置）の復号に用いる。パイロットトーンはＵＥ−選択署名コードシーケンスを運び、パイロットトーンに対する直交リソースは、ＵＥ署名を獲得して、データトーンを復号するため、よいチャネル推定を確保する。複数の伝送アンテナ（例えば、３６−３７）と受信アンテナ（例えば、４６−４７）は、ＵＥ３１とｅＮＢ４１に設けられ、各種ＭＩＭＯプレコーディング／ビーム形成スキームが適用され、限定された数の無線リソースを含む二個以上のコンテンションＵＥを検出し、システムが、低信号対干渉雑音比（ＳＩＮＲ）のセル領域下で操作できるようにする。
【００１７】
図５は、無線ＯＦＤＭＡネットワーク５０において、コンテンションベースのアップリンク伝送に用いる無線リソースブロックに割り当てられるパイロットトーンとデータトーンを示す図である。ＯＦＤＭＡシステムにおいて、送信機会は、連続した副搬送波（ｆｒｅｑｕｅｎｃｙ  ｔｏｎｅｓ）と連続したＯＦＤＭ符号（ｔｉｍｅ  ｓｌｏｔｓ）を含む２次元の無線リソースブロックである。図５では、ＵＥ５１とＵＥ５２はコンテンションＵＥで、コンテンションＵＥは、ｅＮＢ５３により割り当てられる複数のＣＢ送信機会により、同時に、アップリンクＣＢデータをｅＮＢ５３に伝送する。例えば、無線リソースブロック５４、５５は、時間周波数ドメイン（ｔｉｍｅ−ｆｒｅｑｕｅｎｃｙ  ｄｏｍａｉｎ）上で分離する直交機会である。複数のコンテンションＵＥは、アップリンクＣＢデータ伝送のために、直交機会を共有するので、通常は、更に多くの機会で、衝突頻度を減少させることができる。しかし、限定された数の直交無線リソースしかないので、ＣＢ伝送するために、複数のコンテンションＵＥが同一無線リソースブロックを用いる確率は、まだ高い。
【００１８】
複数のＵＥが、同一の無線リソースブロックを用いて、アップリンクＣＢデータ伝送をする時、パイロットトーンに用いる直交リソースが臨界（ｃｒｉｔｉｃａｌ）になることを確保する。これは、パイロットトーン中にコリジョンがある場合、データトーンを正確に復号するチャンスがないからである。複数のコンテンションＵＥ間で、パイロットトーンの直交無線リソースを割り当てる２個の基本スキームがある。第一スキームは周波数分割多重（ＦＤＭ）と称され、パイロットトーンは、幾つかの独立した（ｅｘｃｌｕｓｉｖｅ）副搬送波セットに分けられる。図５のリソースブロック５５に示されるように、ＵＥ５１は、一副搬送波セット（斜線で示される）を利用し、ＵＥ５２は、別の副搬送波セット（点線で示される）利用して、ＣＢ伝送に用いる。第二スキームは符号分割多重（ＣＤＭ）と称され、各セルには、パイロットトーンの幾つかの直交符号シーケンスが割り当てられ、各ＵＥは、ＣＢ伝送のために、パイロットトーン上の一コードシーケンスを利用する。図５のリソースブロック５４に示されるように、ｃｏｄｅ０はＵＥ５１（斜線で示される）により、パイロットトーンにマップされ、ｃｏｄｅ１は、ＵＥ５２（点線で示される）により、パイロットトーンにマップされる。
【００１９】
コンテンションＵＥを解決する鍵は、各ＵＥの空間ドメイン署名（例えば、プリアンブル）を識別することであり、ドメイン署名は、各ＵＥにより、パイロットトーン中にマップされる。一例として、ＵＥＩＤに関連する機能に従って、各ＵＥはプリアンブルを選択する。例えば、プリアンブル符号＝ｆｕｎｃ（ＵＥＩＤ）である。よって、プリアンブル符号は、“ＵＥ−選択署名”情報を運ぶ。別の例として、ＵＥは、プリアンブルをランダムに選択する。符号衝突がない限り、ランダムに選択されたプリアンブル符号は、依然として、ＵＥを示すのに用いられる。後者の場合、代わりに、ＵＥＩＤはＣＢデータに運ばれる。よって、異なるＵＥｓ間のパイロットトーン上の適切な直交リソース分離により、よいチャネル推定が達成され、異なるＵＥからのデータは、高い補正率（ｃｏｒｒｅｃｔｉｏｎ  ｒａｔｅ）で復号される。パイロットトーンにより運ばれる各ＵＥの空間ドメイン署名が得られ、コンテンションが発生しても、データトーンは、依然として、復号可能である。つまり、パイロットトーンに用いる直交リソースにより、データコリジョンは、必ずしもデータ検出失敗に相当するとは限らない。
【００２０】
適切なパイロットトーン割り当ての他、アップリンク伝送プレコーディングは検出性能を改善する別の方法である。アップリンク伝送プレコーディングは、追加の空間ドメインを生成して、同一の時間周波数リソース（ｔｉｍｅ−ｆｒｅｑｕｅｎｃｙ  ｒｅｓｏｕｒｃｅ）上で、同時信号伝送を分離する。各ＵＥが適切に、自身のプレコーダ（ｐｒｅｃｏｄｅｒ）を選択する場合、異なるＵＥ間の干渉が緩和される。ランダムな基準、又は、推定されたアップリンクチャネル情報に基づいて、各ＵＥはプレコーダを選択することができる。プレコーダは、コードブック、又は、殆どが直交プレコーダからなるコードブックのサブセットから選択される。一般に、アップリンク伝送アンテナが多いほど、パフォーマンスがよいことが示される。同様に、受信アンテナが多いほど、更なる自由度を提供して、コンテンションＵＥを検出する。複数の送受信アンテナにより、各種ＭＩＭＯスキームが適用されて、パフォーマンスを改善する。
【００２１】
図６は、コンテンションベースのアップリンク伝送に用いられるＭＩＭＯプレコーディング／ビーム形成スキームを示す図である。プレコーディング／ビーム形成は、指向性信号送受信のために送受信アンテナのアレイを利用する信号処理技術である。図６では、ＵＬデータ＃１又は＃２を運ぶ信号には、ＵＥ６１かＵＥ６２の各伝送アンテナの伝送側で、適当な重み（ｗｅｉｇｈｔｉｎｇ）が加えられて、信号電力が、受信器側で最大化する。信号を伝送する時、ＵＥ６１、又は、ＵＥ６２は、伝送ビーム形成（即ち、バーチャル伝送ビーム＃１と＃２を生成することにより）を実行することで、信号が伝送される方向の電力が増加する。信号を受信する時、ｅＮＢ６３は、受信ビーム形成（即ち、バーチャル受信ビーム＃１と＃２とバーチャル伝送ビーム＃１と＃２のマッチングにより）を実行し、これにより、所望の信号方向で、受信器感度を増加させ、干渉とノイズの方向で、感度を減少させる。よって、複数の送受信アンテナを用いる伝送側と受信側両方で、プレコーディング／ビーム形成を適用することにより、ｅＮＢ６３が、ビーム形成ゲインを達成して、かつ、最高の適合を見つけるための機会が増加する。図６では、バーチャル受信ビーム＃１とバーチャル伝送ビーム＃１は、ｅＮＢ６３への最適合を形成して、ＵＬデータ＃１を復号する。
【００２２】
復号パフォーマンスをさらに改善するため、各ＵＥは、保守的な変調および符号化方法（ＭＣＳ）を用いて、システムロバスト性（ｓｙｓｔｅｍ  ｒｏｂｕｓｔｎｅｓｓ）を向上させる。例えば、４位相偏移変調（Ｑｕａｄｒａｔｕｒｅ  Ｐｈａｓｅ−Ｓｈｉｆｔ  Ｋｅｙｉｎｇ、ＱＰＳＫ）変調と同様に、１／３２の低符号レートを有する符号スキームが用いられる。また、反復符号が用いられて、電力利得を改善する。システムパフォーマンス要求に基づいて、ＭＣＳの選択が、事前に定義されるか、又は、配置される。
【００２３】
異なるＣＢスキームがシミュレートされ、ＣＢ伝送パフォーマンスを検証している。ＣＢスキームを適用する一例は、専用のＲＲＣシグナリングにより、各ＵＥのＤＭ−ＲＳ信号を配置する。各ＵＥは、異なるＤＭ−ＲＳ信号を用いて、それらをオーバーラップしたパイロットトーンに分化する。ＣＢスキームを適用する別の例は、放送、又は、ＲＲＣ配置により、ＵＥの群のＤＭ−ＲＳ信号のプールを配置する。各ＵＥは、ＤＭ−ＲＳ信号プールから一つを選ぶ。ＤＭ−ＲＳコリジョンケース（例えば、二個の競争する（ｃｏｎｔｅｎｄｉｎｇ）ＵＥは、同一のリソースブロックで、データを同時に伝送し、同一の循環シフト値を選択する）で、両ＵＥデータは復号化できないことが証明される。一方、ＤＭ−ＲＳコリジョンフリーケース（例えば、二個の競争する（ｃｏｎｔｅｎｄｉｎｇ）ＵＥｓは、同一のリソースブロックで、データを同時に伝送し、異なる循環シフト値を選択する）で、両ＵＥデータは復号可能である。ＰＥＲ＝１％で、両ＵＥは、ＳＩＮＲ幅が２〜２．５ｄＢである。受信アンテナ数量が２個から４個に増加する時、２個のＵＥｓのために、１．５〜２．５ｄＢＳＩＮＲの改善が達成される。
【００２４】
ＣＢ伝送プロトコル増強
検出性能は、ＣＢ伝送中のＵＥとｅＮＢ両方により適用される各種技術により改善されるとはいえ、複数のコンテンションＵＥからのコンテンションベースの伝送の性質のため、アップリンクＣＢデータ検出失敗は、依然として避けられない。よって、増強ＣＢ伝送プロトコルと軽量（ｌｉｇｈｔｗｅｉｇｈｔ）競合解除スキームは、ＣＢ伝送パフォーマンスを更に改善すること、アップリンクＣＢデータ検出失敗を処理することが望ましい。
【００２５】
図７は、無線通信ネットワーク７０においてのコンテンションベースのアップリンク伝送のメッセージ順序の一例を示す図である。無線ネットワーク７０は、複数のユーザー装置（例えば、ＵＥ７１とＵＥ７２を含む）とサービング基地局ｅＮＢ７３を含む。コンテンションベースの（ＣＢ）伝送を初期化するため、各ＵＥは、ＣＢ構成フェーズにより、予め配置される必要がある。ＣＢ構成フェーズ期間、ｅＮＢ７３は、ＣＢ設定情報とアップリンクＣＢグラントをＵＥ７１とＵＥ７２に伝送する。通常、ＣＢ設定情報は、アップリンクＣＢ伝送に用いられる一般のパラメータを含み、ＣＢグラントは、実際のＣＢ送信機会を割り当てる。ＣＢ構成フェーズ後、ＵＥ７１とＵＥ７２は、割り当てられたＣＢ送信機会により、アップリンクＣＢ伝送を開始する。アップリンクＣＢ伝送受信時、ｅＮＢ７３は各ＵＥに用いるアップリンクデータを検出し、検出結果に基づいて、対応するＣＢ肯定応答を各ＵＥに送り戻す。
【００２６】
ＣＢ設定情報とＣＢグラントは、放送チャネルか無線リソース制御（ＲＲＣ）シグナリングにより伝送される。一般に、放送チャネルは低シグナリングオーバーヘッドを要求するが、コンフィギュレーション変更（ｃｏｎｆｉｇｕｒａｔｉｏｎ  ｃｈａｎｇｅ）を更新するためページングメカニズムを必要とする。一方、ＲＲＣシグナリングは、高い配置フレキシブル性（ｃｏｎｆｉｇｕｒａｔｉｏｎ  ｆｌｅｘｉｂｉｌｉｔｙ）を提供するが、ユニキャスト（ｕｎｉｃａｓｔｉｎｇ）により、高配置オーバーヘッドを必要とする。第１の例では、ＣＢ設定情報は、設定情報（例えば、システム情報ブロック（ＳＩＢ）中に含まれる）を放送するダウンリンク共有チャネルにより伝送され、ＣＢグラントは、ダウンリンク制御チャネル（例えば、パケットデータ制御チャネル（ＰＤＣＣＨ））により伝送される。第二の例では、ＣＢグラントは、グラント情報を放送するダウンリンク共有チャネルにより伝送され、ＣＢ起動は、ダウンリンク制御チャネル（例えば、ＰＤＣＣＨ）により伝送される。例えば、ＣＢグラント後、ＣＢ伝送は、分離したＰＤＣＣＨメッセージにより起動する。第三の例では、ＣＢ設定情報とＣＢグラントは、配置とグラント情報を放送するダウンリンク共有チャネルにより伝送され、ＣＢ起動は、ダウンリンク制御チャネル（例えば、ＰＤＣＣＨ）により伝送される。
【００２７】
ＣＢ設定情報に含まれる実際のコンテンツとパラメータは、ＣＢ無線ネットワーク一時識別子（ＣＢ−ＲＮＴＩ：ＣＢ  ｒａｄｉｏ  ｎｅｔｗｏｒｋ  ｔｅｍｐｏｒａｒｙ  ｉｄｅｎｔｉｆｉｅｒ）、変調および符号化方法（ＭＣＳ：ｍｏｄｕｌａｔｉｏｎ  ｃｏｄｉｎｇ  ｓｈｅｍｅ）、ＣＢ集団アイデンティティ、サブフレーム割り当てのＣＢリソース割り当て情報、及び、競合解除パラメータ、例えば、再伝送に用いるバックオフパラメータを含む。ＣＢ伝送の無線リソースを承諾する時、ｅＮＢは、ＣＢ−ＲＮＴＩを用いて、ＣＢグラントをスクランブルし、各ＵＥは、同一のＣＢ−ＲＮＴＩを用いて、ＣＢグラントのスクランブルを解除する（ｄｅ−ｓｃｒａｍｂｌｅ）。複数のＣＢグラントは、単一ＰＤＣＣＨにより、一つの割り当てメッセージにより割り当てられる。第一の例では、固定サイズの割り当てスキームが用いられ、各ＣＢ伝送の伝送ブロック（ＴＢ）サイズは固定である。その結果、各ＵＥは、暗に、ＣＢ送信機会を引き出すことができる。例えば、６個のリソースブロック（ＲＢｓ）がＰＤＣＣＨで割り当てられ、ＴＢサイズが２の場合、正確に承諾された３回のＣＢ送信機会がある。第二の例では、可変サイズの割り当てスキームが用いられ、各ＣＢ伝送のＴＢサイズは変化する。ＴＢサイズはＰＤＣＣＨに組み込まれているパラメータである。ＰＤＣＣＨに組み込まれる総グラントサイズとＴＢサイズ情報により、各ＵＥは、ＣＢ送信機会を引き出す。
【００２８】
コンテンションＵＥ数量が増加する時、承諾された送信機会が変化しない場合、データ衝突頻度も増加する。衝突頻度を減少させるため、ｅＮＢは、大量のＵＥを幾つかの小さいＣＢグループにグループ分けし、一定量の無線リソースを各ＣＢグループに割り当てることが可能である。本例では、ｅＮＢは、存在するＲＲＣパラメータにより、インプリシットグルーピング（ｉｍｐｌｉｃｉｔ  ｇｒｏｕｐｉｎｇ）する。例えば、インプリシットグルーピングはランダムに実行されるか、又は、専用のスケジューリングリクエスト（Ｄ−ＳＲ）パラメータに基づくか、又は、伝送ＴＢサイズに基づく。他の例では、放送か専用のＲＲＣシグナリングにより、プレコンフィグレーション（ｐｒｅ−ｃｏｎｆｉｇｕｒａｔｉｏｎ）に基づいて、ｅＮＢは、インプリシットグルーピングを用いる。
【００２９】
一旦、ＵＥが、設置、及び、承諾されて、アップリンクＣＢ伝送に用いられると、ＵＥは、ＰＤＣＣＨに基づいて、コンテンションベースの物理アップリンク共有チャネル（ＣＢ−ＰＵＳＣＨ：ｃｏｎｔｅｎｔｉｏｎ-ｂａｓｅｄ  ｐｈｙｓｉｃａｌ  ｕｐｌｉｎｋ  ｓｈａｒｅｄ  ｃｈａｎｎｅｌ）で、アップリンクデータを伝送することができる。複数のＣＢ機会が見つかった場合、ＵＥは、任意の一ＣＢ機会をランダムに選択して、アップリンクデータを伝送することができる。さらに、ＣＢ伝送に用いる閉ループ電力制御がない。ＵＥの伝送電力は、通常、開ループ電力制御により決定される。第一の例では、ＵＥは、最後に成功したランダムアクセスプリアンブルの伝送電力を再利用する。第二の例では、ダウンリンク基準測定に基づいて、ＵＥは、伝送電力を計算して、チャネル損失を補償する。
【００３０】
受信されたアップリンクデータに応答して、ＣＢ肯定応答は、その後、ｅＮＢにより、ＵＥに送り返される。各種通信チャネルが用いられて、ＣＢ肯定応答を伝送する。ＣＢ肯定応答の第一の例では、物理ハイブリッドＡＲＱ（ＨＡＲＱ）インジケーターチャネル（ＰＨＩＣＨ）が用いられて、ＣＢ肯定応答を伝送する。この方法では、ＨＡＲＱフィードバックＬ１シグナリングは、肯定応答として再利用することができる。しかし、複数のＵＥが衝突する場合、ＵＥＩＤ情報が、フィードバックシグナリング中に含まれていないので、ＰＨＩＣＨに存在する１−ビット情報は、コリジョンに通知するためには十分ではない。このＨＡＲＤに類似のＬ１シグナリング方法は、新しいＰＨＩＣＨ設計を用いることにより改善される。新しいＰＨＩＣＨは、ＵＥＩＤ関連情報を運んで、複数のＵＥコリジョンを識別する。例えば、新しいＰＨＩＣＨ中の位置情報が、ＵＥＩＤ、Ｃ−ＲＮＴＩ、ＣＢＩＤ、ＩＭＥＩ、ＩＭＳＩ等により導き出される。ハッシュ関数（ｈａｓｈｆｕｎｃｔｉｏｎ）を用いることにより、各ＵＥは、新しいＰＨＩＣＨ中に生成された位置で、肯定応答を獲得することができる。
【００３１】
ＣＢ肯定応答の第二の例では、ＰＤＣＣＨによるグラントベース（ｇｒａｎｔ−ｂａｓｅｄ）の肯定応答が、ＣＢ肯定応答の伝送に用いられる。この方法では、ＣＢ−ＰＵＳＣＨが正確に復号される場合、ｅＮＢは、ＣＢグラントを肯定応答として伝送する。しかし、ユニキャストグラント（ｕｎｉｃａｓｔｉｎｇ  ｇｒａｎｔ）がＵＥにより受信されない場合、ＣＢ伝送は失効と見なされる。一例として、ＵＥＩＤや別の新しいフォーマット（例えば、ｇｒａｎｔ、ａｃｋ、ＵＥが含む）に基づいて、ＰＤＣＣＨがＣ−ＲＮＴＩにより覆われる。他の例では、ＰＤＣＣＨは、複数のＵＥＩＤｓを含む新しいフォーマットに基づいて、ＣＢ−（ＡＣＫ）−ＲＮＴＩにより覆われる。ＣＢ肯定応答の第三の例では、ＭＡＣ制御素子（ＭＡＣＣＥ）がＣＢ肯定応答の伝送に用いられる。ＭＡＣＣＥは、ＣＢ−（ＡＣＫ）−ＲＮＴＩかＣ−ＲＮＴＩにより覆われる。シグナリングオーバーヘッドが増加しても、複数のＣＢ肯定応答を一緒に、一ＭＡＣＣＥに凝集することが可能である。
【００３２】
ＣＢ肯定応答の伝送タイミングは、別に配置される。一例では、固定時間（例えば、アップリンクデータ受信後の４サブフレーム）がＣＢ肯定応答伝送に適用される。この方法は、更に、ＣＢ肯定応答の第一の例（例えば、ＰＨＩＣＨ）に適用されやすい。他の例では、アップリンクデータ受信後、ＣＢ肯定応答のバッチ処理は、小さい窓で一緒に伝送される。この方法は、ＣＢ肯定応答の第三の例（例えば、ＭＡＣＣＥ）に適用されることが多い。
【００３３】
図８は、無線通信ネットワーク８０において、コンテンションベースのアップリンク伝送と再伝送のメッセージ順序を示す。無線ネットワーク８０は、複数のユーザー装置（例えば、ＵＥ８１とＵＥ８２を含む）とサービング基地局ｅＮＢ８３を含む。図８に示されるように、ＵＥ８１とＵＥ８２は、アップリンクＣＢデータを同時に、ｅＮＢ８３に伝送する。データコリジョンが発生しても、ｅＮＢ８３は、ＵＥ８２からアップリンクデータをデコードし、応答して、肯定応答（ｐｏｓｉｔｉｖｅ  ａｃｋｎｏｗｌｅｄｇｍｅｎｔ（ＡＣＫ）をＵＥ８２に伝送することができる。しかし、ｅＮＢ８３は、ＵＥ８１からアップリンクデータを復号することができず、応答して、否定応答（ＮＡＣＫ）をＵＥ８１に送り返す。ＮＡＣＫ受信時、ＵＥ８１はＣＢ再伝送を実行し、アップリンクデータをｅＮＢ８３に再伝送する。
【００３４】
ＣＢ再伝送の例では、ＲＬＣ−ベースの伝送メカニズムが用いられ、ＨＡＲＱ類似の再伝送を適用しない。ＭＡＣ層は、アップリンクＣＢ伝送後にＣＢデータを単純に放棄し、再伝送されたＣＢデータがＲＬＣ層から生成される。ＣＢ再伝送の他の例では、ＭＡＣ層はＣＢデータを保持し、必要な場合に、再伝送を試みる。ＣＢ再伝送は、ＣＢグラント上でだけで実行されて、ＣＢデータを保存する。次のＣＢ伝送のタイミングはランダムバックオフ（ｒａｎｄｏｍ  ｂａｃｋｏｆｆ）される。又は、バックオフ時間が適用されず、検出失敗が発生する場合には、ｅＮＢは、さらに多くのＣＢ機会を許可する。ＣＢ−ＰＵＳＣＨが、数回の撤退のため、既に失効している場合、ＵＥは、ＣＢ伝送をあきらめて、ランダムアクセスチャネル（ＲＡＣＨ）工程に戻る。
【００３５】
図９は、ＵＥ９１とそのサービングｅＮＢ９２間のコンテンションベースのアップリンク伝送の方法のフローチャートである。ＣＢアップリンク伝送を初期化するため、ｅＮＢ９２は、ＣＢ設定情報とアップリンクグラントを、ＵＥ９１を含む複数のＵＥに伝送する（ステップ１０１）。ＵＥ９１は、ｅＮＢから、ＣＢ設定情報とアップリンクグラントを受信する（ステップ１０２）。各種技術が、伝送側と受信側で適用されて、ＣＢデータ検出性能を改善する。受信側で、ｅＮＢ９２は、複数のＵＥ間で共有される複数の直交ＣＢ送信機会を割り当てる（ステップ１０３）。ｅＮＢ９２は、受信アンテナ数量を増加して、データ検出のために、更なる自由度を提供する。ｅＮＢ９２は、複数のＣＢ群を生成して、衝突頻度を減少させる。伝送側で、ＵＥ９１は、ＵＥ−選択署名情報を運ぶパイロットトーンに用いる直交リソースにＦＤＭかＣＤＭを適用する（ステップ１０４）。ＵＥ９１は、適切なプレコーディングを選択して、空間ドメインのダイバーシティ利得を生成する。ＵＥ９１は、最も保守的な変調および符号化方法を用いて、システムロバスト性を改善する。
【００３６】
一旦、アップリンクＣＢ伝送が配置、及び、承諾されると、ＵＥ９１は、一つの割り当てられたＣＢ送信機会により、アップリンクＣＢデータを伝送し（ステップ１０５）、ｅＮＢ９２は、複数のＵＥから、アップリンクＣＢデータを受信し、各ＵＥのＣＢデータを復号する（ステップ１０６）。検出結果に基づいて、ｅＮＢ９２は、肯定応答（ｐｏｓｉｔｉｖｅ  ａｃｋｎｏｗｌｅｄｇｅｍｅｎｔ、ＡＣＫ）、又は、否定応答（ｎｅｇａｔｉｖｅ  ａｃｋｎｏｗｌｅｄｇｅｍｅｎｔ、ＮＡＣＫ）をＵＥに送り返す（ステップ１０７）。ＡＣＫかＮＡＣＫの受信時（ステップ１０８）、ＵＥ９１は、アップリンクＣＢデータをｅＮＢ９２に再伝送する（ステップ１０９）。最後に、ｅＮＢ９２は、再伝送されたＣＢデータを受信し、復号する。
【００３７】
図１０は、３ＧＰＰＬＴＥ／ＬＴＥ−Ａシステムにおいて、ＣＢメカニズムを応用するＣＢパケットフォーマットを示す図である。図１０では、アップリンクＣＢデータフォーマットは、ＲＬＣヘッダー、ＭＡＣヘッダーとペイロードを含む。ＲＬＣヘッダーは、パケット圧縮に用いるロバストヘッダー圧縮（ＲＯＨＣ：ｒｏｂｕｓｔ  ｈｅａｄｅｒ  ｃｏｍｐｒｅｓｓｉｏｎ）情報を運ぶために用いられる。ＭＡＣヘッダーは、バッファステータスレポート（ｂｕｆｆｅｒ  ｓｔａｔｕｓ  ｒｅｐｏｒｔｉｎｇ、ＢＳＲ）とＣ−ＲＮＴＩを任意で含むＭＡＣ層制御情報を運ぶために用いられる。ペイロードは、アップリンクＣＢデータを運ぶために用いられる。ＣＢ配置に用いられる可能なＴＢサイズも図１０に示される。
【００３８】
提案されるアップリンクＣＢ伝送が適用され、その他の特徴を有する無線通信システムに整合される。第一の例では、マルチキャリアシステムにおいて、複数のＣＢ−ＰＵＳＣＨグラントが、同一の伝送時間間隔（ＴＴＩ）で、二個以上の搬送波成分（ＣＣ）に提供される場合、ＵＥは、ランダムに、一つ（またはそれ以上）を選択して、そのＣＢデータを伝送する。第二の例では、スケジューリングリクエスト（ＳＲ）メカニズムと協力して、ＳＲがトリガーされる、又は、ＳＲに依存しないときだけ、ＣＢ伝送が割り当てられる。ＣＢ伝送が発生する時、ＵＥは、トリガーされたＳＲをキャンセルするか、又は、トリガーされたＳＲの継続が可能である。第三の例では、ＣＢ伝送は進行中のＨＡＲＱ再伝送と協力する。ＴＴＩにとって、再伝送が予定され、ＣＢ機会が存在する場合、ＵＥは、同時通信を実行することができ、又は、同一のＴＴＩ中のＣＢリソースと通常のリソースを同時に用いることなく、再伝送高優先度を与えることができる。第四の例では、ＴＴＩバンドルメカニズムと協力して、バンドル起動ＵＥはＣＢリソースを用いない。又は、バンドル起動ＵＥはＣＢリソースを用いることができるが、ＣＢ伝送はバンドルされない。将来は、提案されるアップリンクＣＢ伝送方法が、スマートフォンのアプリケーションに適用されて、電力消耗とレイテンシパフォーマンスを改善するであろう。これは、ショートパケット伝送、例えば、マシンタイプ通信（Ｍａｃｈｉｎｅ  Ｔｙｐｅ  Ｃｏｍｍｕｎｉｃａｔｉｏｎ、ＭＴＣ）、又は、エムツーエム（Ｍａｃｈｉｎｅ  ｔｏ  Ｍａｃｈｉｎｅ、Ｍ２Ｍ）通信の最適化を目的としているアプリケーションにも適用できる。
【００３９】
本発明では好ましい実施例を前述の通り開示したが、これらは決して本発明に限定するものではなく、当該技術の知識を有する者なら誰でも、本発明の思想と開示内容を逸脱しない範囲内で各種の変形を加えることができ、従って本発明の保護範囲は、特許請求の範囲で指定した内容を基準とする。
【符号の説明】
【００４０】
３０、５０、６０、７０、８０…無線ネットワーク
３１…ユーザー装置
３２…メモリ
３３…プロセッサ
３４…多入力多出力型（ＭＩＭＯ）エンコーダ
３５…プレコーディング／ビーム形成モジュール
３６…アンテナ
３７…アンテナ
４０…ＣＢ送信機会
４２…メモリ
４３…プロセッサ
４４…ＭＩＭＯデコーダ
４５…ビーム形成モジュール
４６…アンテナ
４７…アンテナ
４８…無線リソースブロック
【図１】
0005593403.tif 000002
【図２】
0005593403.tif 000003
【図３】
0005593403.tif 000004
【図４】
0005593403.tif 000005
【図５】
0005593403.tif 000006
【図６】
0005593403.tif 000007
【図７】
0005593403.tif 000008
【図８】
0005593403.tif 000009
【図９】
0005593403.tif 000010
【図１０】
0005593403.tif 000011